【手続補正書】
【提出日】令和3年5月11日(2021.5.11)
【手続補正１】
【補正対象書類名】明細書
【補正対象項目名】００５６
【補正方法】変更
【補正の内容】
【００５６】
磁性体コア２２は、磁性体コア１３と同様に形成されている。磁性体コア２２は、陽極バスバ１２Ｐ及び陰極バスバ１２Ｎそれぞれの凸形状に折り曲げられた部位と陽極バスバ１１Ｐ及び陰極バスバ１１Ｎとの間に配置される。磁性体コア２２の中心の空間には、陽極バスバ１２Ｐ及び陰極バスバ１２Ｎが貫通されている。磁性体コア２２は、本発明の第２の磁性体コアに相当する。
【手続補正２】
【補正対象書類名】明細書
【補正対象項目名】００６４
【補正方法】変更
【補正の内容】
【００６４】
冷却フィン３１は、冷却フィン１６Ｐ，１６Ｎを連結、一体化して板状に形成したものである。冷却フィン３１は、磁性体コア１３の円環状の平面と金属筐体１０とに接続されている。冷却フィン３１の中心には、陽極バスバ１２Ｐ及び陰極バスバ１２Ｎを貫通させるための貫通穴が形成されている。同様に、冷却フィン３２は、冷却フィン２３Ｐ，２３Ｎを連結、一体化して板状に形成したものである。冷却フィン３２は、磁性体コア２２の円環状の平面と金属筐体１０とに接続されている。冷却フィン３２の中心には、陽極バスバ１２Ｐ及び陰極バスバ１２Ｎを貫通させるための貫通穴が形成されている。
【手続補正３】
【補正対象書類名】明細書
【補正対象項目名】００６６
【補正方法】変更
【補正の内容】
【００６６】
高電圧ノイズフィルタ３においては、磁性体コア１３，２２に接する冷却フィンの面積が高電圧ノイズフィルタ２に比べて増加しているので、磁性体コア１３，２２をより効果的に冷却することができる。
【手続補正４】
【補正対象書類名】明細書
【補正対象項目名】００７０
【補正方法】変更
【補正の内容】
【００７０】
冷却フィン４１は、冷却フィン３１（図８）と同様に板状に形成された平面部位４１１と、磁性体コア１３と略同じ幅を有する保持部位４１２とが、金属等の熱伝導性を有する材料を用いて一体的に形成されている。平面部位４１１は、陽極バスバ１２Ｐ及び陰極バスバ１２Ｎを貫通させるための貫通穴４１３が形成されている。平面部位４１１は、磁性体コア１３の円環状の平面と金属筐体１０とに接続される。保持部位４１２は、磁性体コア１３の外周曲面と金属筐体１０とに接続され、磁性体コア１３を保持することができる。なお、保持部位４１２の幅は、上述した例に限らず、より狭くてもよいし、より広くてもよい。なお、冷却フィン４２も、冷却フィン４１と同様の形状を有し、磁性体コア２２と金属筐体１０とに接続されている。
【手続補正５】
【補正対象書類名】明細書
【補正対象項目名】００７２
【補正方法】変更
【補正の内容】
【００７２】
高電圧ノイズフィルタ４においては、高電圧ノイズフィルタ３の冷却フィン３１，３２に比べ、冷却フィン４１，４２が磁性体コア１３，２２により広い面積で接しているので、磁性体コア１３，２２をさらに効果的に冷却することができる。
【手続補正６】
【補正対象書類名】明細書
【補正対象項目名】００７５
【補正方法】変更
【補正の内容】
【００７５】
冷却部５１は、金属等の熱伝導性を有する材料を用い、冷却フィン４１の保持部位４１２（図１０）と同様の形状に形成されている。換言すれば、冷却部５１は、冷却フィン４１から平面部位４１１（図１０）を省略した形状を有する。冷却部５１は、磁性体コア１３の外周曲面と金属筐体１０とに接続されている。冷却部５２は、冷却部５１と同様の形状を有する。冷却部５２は、磁性体コア２２の外周曲面と金属筐体１０とに接続されている。
【手続補正７】
【補正対象書類名】明細書
【補正対象項目名】００７７
【補正方法】変更
【補正の内容】
【００７７】
高電圧ノイズフィルタ５においては、冷却部５１，５２が磁性体コア１３，２２に接しているので、磁性体コア１３，２２を効果的に冷却することができる。
【手続補正８】
【補正対象書類名】明細書
【補正対象項目名】００７９
【補正方法】変更
【補正の内容】
【００７９】
該高電圧ノイズフィルタ６は、高電圧ノイズフィルタ１（図４）の冷却フィン１６に対して磁性体コア１３の円環状の反対面に冷却フィン６１を追加するとともに、Ｙコンデンサを複数化してＹコンデンサ６２Ｐ，６２Ｎを追加したものである。なお、高電圧ノイズフィルタ６の構成要素のうち、高電圧ノイズフィルタ１〜５と共通するものには同一の符号を付してその説明を省略する。
【手続補正９】
【補正対象書類名】明細書
【補正対象項目名】００８２
【補正方法】変更
【補正の内容】
【００８２】
Ｙコンデンサ６２Ｐはその一端が磁性体コア１３と陽極端子２１Ｐとの間の陽極バスバ６３Ｐに接続され、その他端がアースＧを介して金属筐体１０に接地されている。Ｙコンデンサ６２Ｐは、本発明の第３のＹコンデンサに相当する。Ｙコンデンサ６２Ｎは、その一端が磁性体コア１３と陰極端子２１Ｎとの間の陰極バスバ６３Ｎに接続され、その他端がアースＧを介して金属筐体１０に接地されている。Ｙコンデンサ６２Ｎは、本発明の第４のＹコンデンサに相当する。Ｙコンデンサ６２Ｐ，６２Ｎは、パワーモジュール１１１にて発生したコモンモードノイズを減衰させることができる。
【手続補正１０】
【補正対象書類名】明細書
【補正対象項目名】００８５
【補正方法】変更
【補正の内容】
【００８５】
＜まとめ＞
以上に説明した高電圧ノイズフィルタ１〜６によれば、ヒートシンクを設けたり、Ｙコンデンサの容量を大きくしたり、コンデンサ部品を増設したりすることなく、磁性体コア１３，２２の放熱と、パワーモジュール１１１から生じる電磁ノイズ、特にコモンモードノイズの抑制効果の向上とを両立することが可能となる。
【手続補正１１】
【補正対象書類名】特許請求の範囲
【補正対象項目名】全文
【補正方法】変更
【補正の内容】
【特許請求の範囲】
【請求項１】
直流電流を交流電流に変換するパワーモジュールと、
前記パワーモジュールから生じる電磁ノイズを抑制する高電圧ノイズフィルタと、
を備え、
前記高電圧ノイズフィルタは、
接地された金属筐体と、
前記直流電流の電源と前記パワーモジュールとの陽極を接続する陽極バスバと、
前記電源と前記パワーモジュールとの陰極を接続する陰極バスバと、
環状に形成され、その貫通穴に前記陽極バスバ及び前記陰極バスバが貫通された第１の磁性体コアと、
一端が前記陽極バスバに接続され、他端が前記陰極バスバに接続されたＸコンデンサと、
一端が前記陽極バスバに接続され、他端が接地された第１のＹコンデンサと、
一端が前記陰極バスバに接続され、他端が接地された第２のＹコンデンサと、
前記第１の磁性体コアと前記金属筐体とに接続された第１の冷却部と、を有し、
前記陽極バスバの一部分が前記第１の冷却部と対向配置され、
前記陰極バスバの一部分が前記第１の冷却部と対向配置されている
ことを特徴とする電力変換装置。
【請求項２】
請求項１に記載の電力変換装置であって、
前記第１の冷却部は、前記第１の磁性体コアの環状に形成された平面と接する平面部位を有する
ことを特徴とする電力変換装置。
【請求項３】
請求項１に記載の電力変換装置であって、
前記第１の冷却部は、前記第１の磁性体コアの外周曲面に接続される保持部位を有する
ことを特徴とする電力変換装置。
【請求項４】
請求項１に記載の電力変換装置であって、
前記第１の冷却部は、前記第１の磁性体コアの環状に形成された平面と接する平面部位と、前記第１の磁性体コアの外周曲面に接続される保持部位と、を有する
ことを特徴とする電力変換装置。
【請求項５】
請求項１に記載の電力変換装置であって、
前記第１の冷却部は、前記陽極バスバの一部分と対向配置された部位と、前記陰極バスバの一部分と対向配置された部位とが分離されている
ことを特徴とする電力変換装置。
【請求項６】
請求項１に記載の電力変換装置であって、
前記第１の冷却部は、前記陽極バスバの一部分と対向配置された部位と、前記陰極バスバの一部分と対向配置された部位とが一体化されている
ことを特徴とする電力変換装置。
【請求項７】
請求項２に記載の電力変換装置であって、
前記陽極バスバは凸形状に折り曲げられ、前記陽極バスバの前記凸形状の一部分が前記第１の冷却部の前記平面部位と対向配置され、
前記陰極バスバは凸形状に折り曲げられ、前記陰極バスバの前記凸形状の一部分が前記第１の冷却部の前記平面部位と対向配置されている
ことを特徴とする電力変換装置。
【請求項８】
請求項１に記載の電力変換装置であって、
前記高電圧ノイズフィルタは、
環状に形成され、その貫通穴に前記陽極バスバ及び前記陰極バスバが貫通された第２の磁性体コアと、
前記第２の磁性体コアと前記金属筐体とに接続された第２の冷却部と、を有し、
前記陽極バスバの一部分が前記第２の冷却部と対向配置され、
前記陰極バスバの一部分が前記第２の冷却部と対向配置されている
ことを特徴とする電力変換装置。
【請求項９】
請求項８に記載の電力変換装置であって、
前記第１の磁性体コアは、前記第１のＹコンデンサ及び前記第２のＹコンデンサの前記パワーモジュール側に配置され、
前記第２の磁性体コアは、前記第１のＹコンデンサ及び前記第２のＹコンデンサの前記電源側に配置されている
ことを特徴とする電力変換装置。
【請求項１０】
請求項８に記載の電力変換装置であって、
前記第１の冷却部は、前記第１の磁性体コアの環状に形成された平面と接する第１の平面部位を有し、
前記第２の冷却部は、前記第２の磁性体コアの環状に形成された平面と接する第２の平面部位を有する
ことを特徴とする電力変換装置。
【請求項１１】
請求項１０に記載の電力変換装置であって、
前記陽極バスバは凸形状に折り曲げられ、前記陽極バスバの前記凸形状の一部分が前記第１の冷却部の前記第１の平面部位と対向配置され、前記陽極バスバの前記凸形状の他の一部分が前記第２の冷却部の前記第２の平面部位と対向配置され、
前記陰極バスバは凸形状に折り曲げられ、前記陰極バスバの前記凸形状の一部分が前記第１の冷却部の前記第１の平面部位と対向配置され、前記陰極バスバの前記凸形状の他の一部分が前記第２の冷却部の前記第２の平面部位と対向配置されている
ことを特徴とする電力変換装置。
【請求項１２】
請求項１に記載の電力変換装置であって、
前記Ｘコンデンサが接続されてない前記第１の磁性体コアの反対側で
一端が前記陽極バスバに接続され、他端が接地された第３のＹコンデンサと、
一端が前記陰極バスバに接続され、他端が接地された第４のＹコンデンサと、
前記第１の磁性体コアと前記金属筐体とに接続された第１及び第２の冷却部と、を有し、
前記Ｘコンデンサが配置された側の陽極バスバの一部分が前記第１の冷却部と対向配置され、
前記Ｘコンデンサが配置された側の陰極バスバの一部分が前記第１の冷却部と対向配置され、
前記Ｘコンデンサが配置されていない側の陽極バスバの一部分が前記第２の冷却部と対向配置され、
前記Ｘコンデンサが配置されていない側の陰極バスバの一部分が前記第２の冷却部と対向配置されている
ことを特徴とする電力変換装置。
【請求項１３】
請求項１２に記載の電力変換装置であって、
前記第１及び第２の冷却部は、前記第１の磁性体コアの環状に形成された平面と接する平面部位を有する
ことを特徴とする電力変換装置。
【請求項１４】
請求項１２に記載の電力変換装置であって、
前記第１及び第２の冷却部は、前記第１の磁性体コアの外周曲面に接続される保持部位を有する
ことを特徴とする電力変換装置。
【請求項１５】
請求項１２に記載の電力変換装置であって、
前記第１及び第２の冷却部は、前記第１の磁性体コアの環状に形成された平面と接する平面部位と、前記第１の磁性体コアの外周曲面に接続される保持部位と、を有する
ことを特徴とする電力変換装置。
【請求項１６】
請求項１２に記載の電力変換装置であって、
前記第１及び第２の冷却部は、前記陽極バスバの一部分と対向配置された部位と、前記陰極バスバの一部分と対向配置された部位とが分離されている
ことを特徴とする電力変換装置。
【請求項１７】
請求項１２に記載の電力変換装置であって、
前記第１及び第２の冷却部は、前記陽極バスバの一部分と対向配置された部位と、前記陰極バスバの一部分と対向配置された部位とが一体化されている
ことを特徴とする電力変換装置。
【請求項１８】
請求項１３に記載の電力変換装置であって、
前記陽極バスバは凸形状に折り曲げられ、前記陽極バスバの前記凸形状の一部分が前記第１及び第２の冷却部の前記平面部位と対向配置され、
前記陰極バスバは凸形状に折り曲げられ、前記陰極バスバの前記凸形状の一部分が前記第１及び第２の冷却部の前記平面部位と対向配置されている
ことを特徴とする電力変換装置。
【請求項１９】
接地された金属筐体と、
直流電流の陽極に接続される陽極バスバと、
前記直流電流の陰極に接続される陰極バスバと、
環状に形成され、その貫通穴に前記陽極バスバ及び前記陰極バスバが貫通された第１の磁性体コアと、
一端が前記陽極バスバに接続され、他端が前記陰極バスバに接続されたＸコンデンサと、
一端が前記陽極バスバに接続され、他端が接地された第１のＹコンデンサと、
一端が前記陰極バスバに接続され、他端が接地された第２のＹコンデンサと、
前記第１の磁性体コアと前記金属筐体とに接続された第１の冷却部と、
を備え、
前記陽極バスバの一部分が前記第１の冷却部と対向配置され、
前記陰極バスバの一部分が前記第１の冷却部と対向配置されている
ことを特徴とする高電圧ノイズフィルタ。
【請求項２０】
接地された金属筐体と、
直流電流の陽極に接続される陽極バスバと、
前記直流電流の陰極に接続される陰極バスバと、
環状に形成され、その貫通穴に前記陽極バスバ及び前記陰極バスバが貫通された第１の磁性体コアと、
一端が前記陽極バスバに接続され、他端が前記陰極バスバに接続されたＸコンデンサと、
一端が前記陽極バスバに接続され、他端が接地された第１のＹコンデンサと、
一端が前記陰極バスバに接続され、他端が接地された第２のＹコンデンサと、
前記Ｘコンデンサが接続されてない前記第１の磁性体コアの反対側で
一端が前記陽極バスバに接続され、他端が接地された第３のＹコンデンサと、
一端が前記陰極バスバに接続され、他端が接地された第４のＹコンデンサと、
前記第１の磁性体コアと前記金属筐体とに接続された第１及び第２の冷却部と、を有し、
前記Ｘコンデンサが配置された側の陽極バスバの一部分が前記第１の冷却部と対向配置され、
前記Ｘコンデンサが配置された側の陰極バスバの一部分が前記第１の冷却部と対向配置され、
前記Ｘコンデンサが配置されていない側の陽極バスバの一部分が前記第２の冷却部と対向配置され、
前記Ｘコンデンサが配置されていない側の陰極バスバの一部分が前記第２の冷却部と対向配置され、
ている
ことを特徴とする高電圧ノイズフィルタ。